(57)【要約】【課題】  カタログとして使用される突出箇所の無い矩形板を、紙扇子としても使えるための紙扇子の固定構造を提供する。【解決手段】  突出箇所の無い矩形板に、天地方向に縦断する区分折線を少なくても二本設け、該区分折線で横方向へ区分された室を少なくても三箇所設け、前記区分折線の一方を畳み線とし他方を移動線とし、前記少なくても三箇所で有する室の一方を基室とし、該基室の他方横辺である畳み線を介する室を反転室とし、該反転室の他方横辺である移動線を介する室を移動室とし、該反転室の一方の下角と他方の上角とを繋ぐ略対角線を反転斜線とし、該反転斜線を谷折して該移動線を山折することで該矩形板は扇形状の開き状態になり、前記扇開き状態で基室の一方の下角に位置する差込角を折り返すことで該移動室の地縁を挟み込み、該差込角の先領域を移動室下部に設けられた横切溝へ差込んで固定する構造にして設ける。【選択図】  図１
2015142681.tif 000002
【特許請求の範囲】
【請求項１】
突出箇所の無い略矩形形状で矩形板を設け、該矩形板を天地に縦断する区分折線を少なくても二本設け、該区分折線によって横方向へ区分される室を少なくても三箇所設け、一方の区分折線を畳み線とし、他方の区分折線を移動線とし、一方の端に位置する室を基室とし、該基室の他方の横辺である該畳み線を介して延設された室を反転室とし、該反転室の他方の横辺である該移動線を介して延設された室を移動室とし、該反転室の略対角線上に反転斜線を設け、該反転斜線の延長線を含む線上の端と該移動線の延長線を含む線上の端との交点を支点とし、該反転斜線を該移動線と逆方向へ折り曲げて該支点を中心に回転移動した該移動室の地縁と沿う該基室に角折線を設け、該角折線で仕切られた一方の下角領域を差込角とし、該角折線の屈折によって折り返された該差込角は移動室の下部領域と重なっており、前記重なり状態の該差込角の先角領域を横切る線の位置で横切溝を該移動室に設け、該横切溝に該差込角の先角領域を差込んで固定することを特徴とする紙扇子の固定構造。
【発明の詳細な説明】
【技術分野】
【０００１】
本発明は、蛇腹状に折り畳んで閉じたり、基部を重ねて折ることで扇状に開いたりできる蛇腹折り畳み式紙扇子の固定構造に関する物である。
【背景技術】
【０００２】
従来の蛇腹折り畳み式紙扇子の基部の固定構造は、円周溝に貫通固定具を差込んで固定したり、突出した底板部を貼着によって固定したりする固定構造の物であった。
【先行技術文献】
【特許文献】
【０００３】
【特許文献１】実開平３−１１８２７号
【特許文献２】実用新案登録第３１１４４６１号
【発明の概要】
【発明が解決しようとする課題】
【０００４】
従来の技術は、扇子の基部が貫通や貼着などで強固に固定されているので、その固定状態を脱して元の一枚のシートに開いて戻すには多くの手間が掛かり、再び扇子の基部固定をするのも手間が掛かり、元のシートが矩形でないことから、チラシやカタログとしての広告媒体に使い難いという問題点があった。本発明では前記のような問題の解決を課題にする。
【課題を解決するための手段】
【０００５】
突出箇所の無い矩形板を設け、該矩形板へ天地に貫いて縦断する区分折線を少なくても二本入れ、該区分折線を介して区分された室を少なくても三箇所形成して横方向へ並べる。該区分折線の一方を畳み線とし、他方を移動線とし、該区分折線の屈折方向を双方で逆にすることで該矩形板はＺ形状の蛇腹折になる。一方の端に位置する該室を基室とし、該基室の他方側辺の該畳み線を介して区分された隣接の室を反転室とし、該反転室の他方側辺の該移動線を介して区分された隣接の室を移動室とする。該反転室の略対角線で反転斜線を入れ、該反転斜線と該移動線との延長線を含む交点を支点とする。前記の略対角線の略は、ほぼ、という意味で用いている。基室内の四つ角領域の内で該支点と離れた箇所に位置する角領域を差込角とし、該差込角は底辺の角折線によって折り返される構造を成し、該移動室内で該支点から離れた箇所に位置する下部領域に横切溝を設ける。
【発明の効果】
【０００６】
畳み線と移動線を互いに逆方向へ折り曲げることで矩形板をＺ形状の蛇腹折に畳んで閉じることができる。該畳み線の折り曲げを解除して、該畳み折線と同方向へ反転斜線を折り曲げることで、該畳み線の折り曲げが該反転斜線の折り曲げに切り替わり、該反転斜線に対して該移動線は逆方向へ折れ曲がっているので、支点を中心にして移動室は回転移動して矩形板は扇形状に開いた形状になり、前記扇状の開き状態で角折線を折り曲げて差込角を折り返し、前記折り返された差込角の先角領域を横切溝に差込むことで該差込角は固定され、該差込角の固定によって、扇形状に開いた状態になった矩形板の基部を固定することができ、該差込角の差込固定を抜き出して解除すれば、展開状態の一枚の矩形板に戻すことができる。
【図面の簡単な説明】
【０００７】
【図１】展開正面図である。（実施例１）
【図２】扇状固定過程要部透視正面斜視図である。
【図３】扇状固定状態要部透視正面斜視図である。
【図４】蛇腹折閉じ状態正面斜視図である。
【図５】展開正面図である。（実施例２）
【図６】扇状固定状態要部透視正面斜視図である。
【発明を実施するための形態】
【０００８】
矩形のチラシやカタログを扇形状に変形させて固定する扇固定で扇子として使用でき、前記の扇固定を解除して、基の矩形のチラシやカタログへ容易に戻すことのできる固定構造を実現した。
【実施例１】
【０００９】
図１は展開正面図である。本体１は突出片などのような出っ張りの無い矩形板２を基盤にしており、該矩形板２は角が丸くても良いし、角張っていても良いが、天地と左右の各々の縁は平行線であり、前記天地と左右の縁線上の交差角度は直角であることが望ましい。該矩形板２を形成する素材は折り曲げ可能なプラスチックなどの人工樹脂であっても良いが、適宜に腰のある厚紙であることが望ましく、前記厚紙の厚みは限定ではなくて変更可能とし、少なくても官製葉書程度の厚みと硬さの腰があれば充分である。矩形板２は単層で図示しているが、該矩形板２の四辺のいずれかを袋折線にして折り返すことで二重構造などの複数層にしても良く、図面では省いているが、該矩形板２の地縁１４を袋折線にし、該地縁１４を中心線とする線対称の矩形板２を該地縁１４を介して延設する構造であっても良く、該矩形板２を二重構造にすれば厚紙の硬さが増して使い易くなると同時に、カタログとしての広告面が倍増する。矩形板２は単層であっても良いし、前記のように二重構造であっても良いし、該矩形板２の天地の辺を袋折する三重構造であっても良いし、十文字に四つ折する四重構造であっても良い。
【００１０】
図面の表示方法で、実線は切線であり、破線は透視線であり、一点鎖線は折線とする。前記折線の折り曲げ方向は使用者が自由に変更できるのであるが、特許内容を明瞭にする目的から限定して表示することにし、谷折と山折で表示される折り曲げ方向は、正面から見た状態を基準にし、天地方向を縦とし、左右方向を横とし、正面と背面を前後とする。
【００１１】
矩形板２を天地に貫通して縦断する区分折線３を少なくても二本入れ、該区分折線３によって該室４は少なくても三箇所に区分されて横に並べられている。該区分折線３は垂直でなくても良いが垂直であることが望ましく、該区分折線３は等間隔でなくても良いが等間隔にして少なくても三箇所有する室４の横幅を同寸にすることが望ましく、該区分折線３が垂直であるならば、該室４の形状も矩形を成している。
【００１２】
区分折線３は少なくても二本有していれば問題なく機能できる構造になっているので、実施例１では該区分折線３の本数を二本とすることが望ましく、該区分折線３が二本であるならば、該区分折線３によって区分される室４の数は必然と三箇所になるので、該室４を三箇所で設けることが望ましい。
【００１３】
一方とする左側の区分折線３を畳み線５とし、他方とする右側の区分折線３を移動線６とし、該畳み線５と該移動線６は互いに逆方向への折り曲げにすることで矩形板２はＺ形状の蛇腹状態の折り曲げ形状となるのであり、双方の折り曲げ方向は互いに逆であれば良いので折り曲げ方向は限定ではないが、該畳み線５を谷折にし、該移動線６を山折にすることが望ましい。
【００１４】
三箇所有している室４を個別名称で述べるならば、一方とする左端を基室７とし、該基室７の他方とする右横に畳み線５を介して区分された室４を反転室８とし、該反転室８の他方とする右横に移動線６を介して区分された室４を移動室９とする。
【００１５】
三箇所有する室４は、左から基室７、反転室８、移動室９の順番で並べられており、中央の反転室８は左側の畳み線５が谷折されて右側の移動線６が山折されると反転して裏返るので反転室８と称するのであり、該反転室８の左下の角と右上の角とを繋ぐ略対角線を反転斜線１０とし、該反転斜線１０の折り曲げ方向は限定でなくても良いが、移動線６と逆方向へ折り曲げる必要があり、該移動線６を山折にすることが望ましいことから、該反転斜線１０を谷折にすることが望ましい。
【００１６】
反転斜線１０を谷折する場合、左下で交差する畳み線５も谷折なので交差箇所の表面が引っ張られて破れることは少ないが、該反転斜線１０の右上の線上で交差する移動線６は山折線なので交差箇所の表面が引っ張られて破れる恐れが高くなるので、該反転斜線１０の右上端は該移動線６の上端と適宜に少しだけ離すことが望ましく、前記の離れた角領域を離域１１として設けることが望ましく、該離域１１を設けたことで該反転斜線１０と該移動線６との交点は両線の延長線上に位置し、前記両者の延長線上の交点は該矩形板２から食み出した場所に位置するのであり、前記食み出し箇所に位置する前記交点を支点１２とする。該反転斜線１０の下端は該反転室８の左下角へ達していることが望ましいが、量産するための打ち抜き用木型を作る場合、刃の厚みの関係から左下角へ達することが困難な場合もあり、該反転斜線１０は該反転室８の左下角に達していなくても良い。
【００１７】
反転室８内の反転斜線１０で仕切られた右下領域を反転域１３とし、該反転斜線１０を谷折することで反転域１３が反転して該反転斜線１０を中心線とする線対称の位置へ移動線６が移動し、該移動線６を山折することで移動室９の下部領域は基室７と重なり合って扇形状の開き状態になり、前記扇形状の開き状態で該移動室９の地縁１４と沿う線領域で角折線１５を基室７に入れ、該角折線１５で仕切られた基室７の一方とする左の下の直角三角形領域を差込角１６とし、該角折線１５を該差込角１６の底辺として、折り返された該差込角１６の先領域を横切る線上に位置する横切溝１７を該移動室９に設ける。
【００１８】
図２は扇状固定過程要部透視正面斜視図である。矩形板２を扇状に組み立てて固定する過程を述べるならば、反転室８の左下と右上の略対角線上に位置する反転斜線１０を谷折することで、支点１２を中心とする円周形状で移動線６が移動し、該移動線６を山折することで反転域１３と移動室９の左下領域とが重なり合って該矩形板２は略扇形状を成し、前記扇形状を固定する目的で基室７左下の角折線１５を谷折して差込角１６を折り返して移動室９の地縁１４を挟み込み、折り返された該差込角１６の先領域を横切溝１７へ差込むことで該移動室９と該基室７とは連結された状態で固定され、該矩形板２を扇状に組み立てた状態で固定した本体１を形成できる。
【００１９】
図３は扇状固定状態要部透視正面斜視図である。本体１は矩形板２を扇状に変形させていることから左右対称の扇形状でなくても良く、扇子として使う場合の扇ぎ方は使用者が自由に行えば良いのであるが、具体的に述べるならば、畳み線５の下端領域が扇子の要箇所と同様に逆三角形状であるので、前記逆三角形状領域を指で挟んで扇ぐことができ、前記三角形状領域を挟んで持つ場合は天地方向である縦方向、或いは前後方向に扇ぐ場合が効率的である。左右方向である横方向へ扇ぐ場合は角折線１５を掌の面に沿わせて親指と他の四本指で挟んで持つ構造が効率的であり、持つ方向は短くなった基室７を持つ人の体へ向ける方が、前記の人の体と本体１とが当たり難くなるので、効率良く快適に扇ぐことができる。
【００２０】
本体１は、矩形を基本とするチラシやカタログを扇形状に変形させて使う紙扇子なので、元々腰の弱い厚紙を矩形板２の素材として使う場合が多い。腰の強くない矩形板２を展開形状の平らな一枚のシートで使えば、しなり幅が不要に大きくなり過ぎるので効率的に扇ぐことはできないが、反転斜線１０を谷折して移動線６を山折することで本体１は扇形状になり、前記扇形状に変形させたことで反転域１３の領域は三枚重ねになっていることから補強されており、前記の三枚重ね領域の基部を差込角１６が束ねて、該差込角１６の先領域を横切溝１７に差込むことで、前期の束ね状態を簡単に固定でき、補強状態を保持できているので、効率的に扇ぐことができる。
【００２１】
差込角１６を横切溝１７に差込む場合は、該差込角１６の領域を軽く曲げれば簡単に差込むことができ、該差込角１６の先角が角張っているので、横切溝１７への差込作業を更に楽に行える。本体１の固定箇所は該差込角１６の差込一箇所であるので、該差込角１６の差込を引き出せば固定状態が解除されて、元の展開状態の矩形板２に戻すことが簡単に行え、元々の役割であるチラシやカタログとしての機能を果たせる。
【００２２】
図４は蛇腹折閉じ状態正面斜視図である。畳み線５は蛇腹折して閉じる場合にのみ使用する折線であり、該畳み線５を山折して移動室９を包み込むように矩形板２を巻いて折り畳んでも良いが、該矩形板２をＺ字状（図面では左右逆のＺ字状）に蛇腹折する構造が望ましい。該畳み線５を谷折して反転室８と移動室９とを一緒に背方へ反転させ、移動線６を山折することで該移動室９を正面へ反転させて本体１はＺ字状（図面では左右逆のＺ字状）に蛇腹折されて閉じ状態になり、前記の閉じ状態にすることによってポケットなどへ収納して携帯できる他、定形郵便用の封筒に収納してダイレクトメールや暑中見舞いなどの郵送をすることができる。
【実施例２】
【００２３】
図５は展開正面図である。実施例１では区分折線３を二本入れて、室４を三箇所設けていたが、図５以降で示す実施例２では該区分折線３を四本入れて、室４を二箇所増やして合計五箇所の該室４を設けており、該室４の増えた二箇所を増室１８とし、該増室１８の一方とする左側を反転増室１９とし、該反転増室１９の左辺の区分折線３を延設線２０とし、該反転増室１９の右辺の区分折線３を増移動線２１とし、該増移動線２１を介して延設された増室１８（室４）を移動増室２２とする。
【００２４】
反転増室１９の左下と右上との略角どうしを繋ぐ略対角線を増反転斜線２３とし、該反転増室１９内の該増反転斜線２３で区切られた右下領域を増反転域２６とし、該増反転斜線２３と増移動線２１との延長線を含む線上交差箇所を増支点２４とし、該増支点２４は矩形板３２の外に位置していることが望ましく、該増支点２４が外に位置していることから、該増反転斜線２３の上端と該増移動線２１の上端とは接しておらずに適宜に空いており、前記空いた領域を他方の離域１１ｂとし、該他方の離域１１ｂを設けたことで、一方の離域１１ａ同様に矩形板３２の折り曲げ時に生じる紙表面の引っ張りを逃がすための遊びの働きを成して、前記紙表面が引っ張られて破れるのを防止できる。
【００２５】
実施例２での矩形板３２の中央の室４は移動室９であり、該移動室９の下部領域の左側へ略水平な横切溝１７を入れ、該横切溝１７の略右上へ該横切溝１７と略直角方向に縦切溝２５を入れ、該横切溝１７と該縦切溝２５の両者は互いに接しない構造であることが望ましく、該横溝１７を適宜に短くし、該縦切溝２５を該移動室９の横方向の中央へ垂直に入れる構造であることが望ましい。
【００２６】
図６は扇状固定状態要部透視正面斜視図である。基室７左下領域の差込角１６を折り返し、折り返された該差込角１６の先領域を横切溝１７に差込んで固定する構造までは実施例１の固定構造であり、扇ぎ使用時に起きる該横切溝１７への差込固定の負荷は小さいので、該横切溝１７を短くしても固定能力不足の問題は生じない。
【００２７】
矩形板３２に形成された室４が三箇所だけの実施例１では差込角１６の差込だけで固定は完了したが、室４を二箇所増設して、前記増設した二箇所の室４を増室１８としており、延設線２０を介して延設されている反転増室１９と移動増室２２とを固定する箇所が必要になってくる。
【００２８】
反転増室１９の略対角線上に設けられた増反転斜線２３を谷折することで増反転域２６と移動増室２２とが背面へ反転し、前記反転状態で増移動線２１を山折することで該移動増室２２は正面へ反転して本体３１全体は扇形状に開いた状態になり、前記開き状態での該移動増室２２の左下角の先領域を縦切溝２５へ差込んで固定する。
【００２９】
上記縦切溝２５への差込固定箇所は、本体３１を扇子として扇ぎ使用する場合には負荷の掛かる箇所でもあることから、該縦切溝２５を長くして移動増室２２の左下角の差込領域を広くする必要があり、横切溝１７の長さを縮小することで、該縦切溝２５との接触を回避して、該縦切溝２５を長くしている。
【００３０】
実施例２での増室１８は二箇所で図示しているが、増室１８の数は限定ではなく、一箇所であっても良いし、更に増やして三箇所や四箇所であっても良く、縦切溝２５の箇所を増やせば、増室１８の数を増やしても、更に増やされた移動増室の左下角領域を差込んで固定することができる。
【産業上の利用可能性】
【００３１】
本発明は、矩形のカタログを扇子として使用するための固定構造であるが、差込角の先領域辺りに指穴を貫通させて、前記指穴に指を挿入させて持ち易くした扇子として使用することもできる。
【符号の説明】
【００３２】
１    本体
２    矩形板
３    区分折線
４    室
５    畳み線
６    移動線
７    基室
８    反転室
９    移動室
１０  反転斜線
１１  離域
１２  支点
１３  反転域
１４  地縁
１５  角折線
１６  差込角
１７  横切溝
【図１】
2015142681.tif 000003
【図２】
2015142681.tif 000004
【図３】
2015142681.tif 000005
【図４】
2015142681.tif 000006
【図５】
2015142681.tif 000007
【図６】
2015142681.tif 000008
【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
突出箇所の無い略矩形形状で矩形板を設け、該矩形板を天地に縦断する区分折線を二本設け、該区分折線によって横方向へ区分される室を三箇所設け、一方の区分折線を畳み線とし、他方の区分折線を移動線とし、一方の端に位置する室を基室とし、該基室の他方の横辺である該畳み線を介して延設された室を反転室とし、該反転室の他方の横辺である該移動線を介して延設された室を移動室とし、該反転室の略対角線上に反転斜線を設け、
該反転斜線を該移動線と逆方向へ折り曲げて、該移動室の地縁と沿う該基室に角折線を設け、該角折線で仕切られた一方の下角領域を差込角とし、該角折線の屈折によって折り返された該差込角は移動室の横切溝に該差込角の先角領域を差込んで固定することを特徴とする紙扇子の固定構造。